(57)【特許請求の範囲】
【請求項１】
集中型方式における付加サービスの調整を容易にするよう構成される移動局において、
回路交換型ドメインに音声通話を置くよう構成される回路交換型ドメインコンポーネントと、
インターネットプロトコル(IP)マルチメディアサブシステムドメインに音声通話を置くよう構成されるIPマルチメディアサブシステムドメインコンポーネントと
を具備し、
前記IPマルチメディアサブシステムドメインコンポーネントは、
IPマルチメディアサブシステムコアネットワークとの通信を容易にするためのトランスポートコンポーネントと、
少なくとも一部が前記IPマルチメディアサブシステムドメインにおける前記音声通話だけでなく前記回路交換型ドメインにおける前記音声通話のための付加サービスに関連する情報を前記トランスポートコンポーネントを介して前記IPマルチメディアサブシステムコアネットワーク上で集中型サーバと交換するよう構成されるシグナリングコンポーネントと
を具備し、
前記情報は、パケット交換型トランスポートプロトコル、データバーストメッセージプロトコル、ショートメッセージサービスプロトコル、デュアルトーンマルチ周波数プロトコルおよびダイヤル番号サフィックスプロトコルのうち少なくとも１つを介して前記集中型サーバと交換され、
前記集中型サーバと情報を交換することは、当該集中型サーバへシグナリングメッセージを送信することを具備し、
前記シグナリングメッセージは、呼び出される付加サービスを識別するサービス識別フィールドと、前記呼び出される付加サービスに特有のデータと、前記呼び出される付加サービスに特有の更なるデータを交換するためのダイアログの継続を表示するフィールドとを具備し、
前記トランスポートコンポーネントは、前記ダイヤル番号サフィックスプロトコルを実行し、
前記集中型サーバとの通信は、前記ダイヤル番号サフィックスプロトコルを介して生じ、
前記ダイヤル番号サフィックスプロトコルを介した前記集中型サーバとの通信は、前記集中型サーバへの呼発生中に、ダイヤル番号に符号化されたシグナリングをサフィックスとして付加することを具備する、
移動局。
【請求項２】
前記移動局は、
前記回路交換型ドメインに音声通話を置き、
前記IPマルチメディアサブシステムコアネットワーク上の前記集中型サーバを介して付加サービスを呼び出し、
前記音声通話が前記回路交換型ドメインにある間に前記付加サービスにアクセス及び／または前記付加サービスを更新するために前記集中型サーバと通信する
よう構成される請求項１記載の移動局。
【請求項３】
前記移動局は、前記集中型サーバと通信するために用いられ得るトランスポートプロトコル及びシグナリングプロトコルを選択するよう更に構成され、
前記選択したトランスポートプロトコル及び前記選択したシグナリングプロトコルは前記付加サービスを呼び出し、前記付加サービスにアクセス及び／または前記付加サービスを更新するために使用される
請求項２記載の移動局。
【請求項４】
前記移動局は、
前記回路交換型ドメインから前記IPマルチメディアサブシステムドメインに前記音声通話を転送し、
前記音声通話が前記IPマルチメディアサブシステムドメインに転送されたのち、前記付加サービスにアクセス及び／または前記付加サービスを更新するために前記IPマルチメディアサブシステムコアネットワーク上で前記集中型サーバと通信を継続する
よう更に構成される請求項２記載の移動局。
【請求項５】
前記移動局は、
前記IPマルチメディアサブシステムドメインに音声通話を置き、
前記IPマルチメディアサブシステムコアネットワーク上で前記集中型サーバを介して付加サービスを呼び出し、
前記IPマルチメディアサブシステムドメインから前記回路交換型ドメインに前記音声通話を転送し、
前記音声通話が前記回路交換型ドメインに転送されたのち、前記付加サービスにアクセス及び／または前記付加サービスを更新するために前記IPマルチメディアサブシステムコアネットワーク上で前記集中型サーバと通信を継続する
よう構成される請求項１記載の移動局。
【請求項６】
前記トランスポートコンポーネントは、前記パケット交換型トランスポートプロトコルを実行し、
前記集中型サーバとの通信は、前記パケット交換型トランスポートプロトコルを介して生じる
請求項１記載の移動局。
【請求項７】
前記トランスポートコンポーネントは、前記データバーストメッセージプロトコルを実行し、
前記集中型サーバとの通信は、前記データバーストメッセージプロトコルを介して生じ、
前記データバーストメッセージプロトコルを介した前記集中型サーバとの通信は、当該集中型サーバへデータバーストメッセージを送信することを具備し、
前記データバーストメッセージは、IPデータグラムを埋め込まれ、
前記IPデータグラムのソースアドレスは、前記移動局に対応し、
前記IPデータグラムの宛先アドレスは、前記集中型サーバに対応する、
請求項１記載の移動局。
【請求項８】
前記トランスポートコンポーネントは、前記ショートメッセージサービスプロトコルを実行し、
前記集中型サーバとの通信は、前記ショートメッセージサービスプロトコルを介して生じ、
前記ショートメッセージサービスプロトコルを介した前記集中型サーバとの通信は、前記IPマルチメディアサブシステムコアネットワークにおけるルーティングの間に優遇を受ける特別なショートメッセージサービスメッセージを送信することを具備し、
前記特別なショートメッセージサービスメッセージは、前記IPマルチメディアサブシステムコアネットワークに保存されない、
請求項１記載の移動局。
【請求項９】
前記トランスポートコンポーネントは、前記デュアルトーンマルチ周波数プロトコルを実行し、
前記集中型サーバとの通信は、前記デュアルトーンマルチ周波数プロトコルを介して生じ、
前記デュアルトーンマルチ周波数プロトコルを介した前記集中型サーバとの通信は、帯域内トーンを、当該トーンを復号化して前記集中型サーバに渡すメディアゲートウェイへと送信することを具備する、
請求項１記載の移動局。
【請求項１０】
前記移動局から前記集中型サーバに送信される情報を符号化し、前記集中型サーバから前記移動局に送信される情報を復号化するよう構成される符号化／復号化コンポーネント
を更に具備する請求項１記載の移動局。
【請求項１１】
インターネットプロトコル(IP)マルチメディアサブシステムコアネットワークの一部であって、音声通話のための付加サービスを調整するよう構成される集中型サーバにおいて、
移動局がIPマルチメディアサブシステムドメインまたは回路交換型ドメインに接続されるときに前記移動局との通信を容易にするためのトランスポートコンポーネントと、
前記移動局が前記IPマルチメディアサブシステムドメインまたは前記回路交換型ドメインに接続されるときに前記移動局に伴って生じる音声通話のための付加サービスに関連する情報を前記トランスポートコンポーネントを介して前記移動局と交換するよう構成されるシグナリングコンポーネントと
を具備し、
前記情報は、パケット交換型トランスポートプロトコル、データバーストメッセージプロトコル、ショートメッセージサービスプロトコル、デュアルトーンマルチ周波数プロトコルおよびダイヤル番号サフィックスプロトコルのうち少なくとも１つを介して前記移動局と交換され、
前記移動局と情報を交換することは、当該移動局からシグナリングメッセージを受信することを具備し、
前記シグナリングメッセージは、呼び出される付加サービスを識別するサービス識別フィールドと、前記呼び出される付加サービスに特有のデータと、前記呼び出される付加サービスに特有の更なるデータを交換するためのダイアログの継続を表示するフィールドとを具備し、
前記トランスポートコンポーネントは、前記ダイヤル番号サフィックスプロトコルを実行し、
前記移動局との通信は、前記ダイヤル番号サフィックスプロトコルを介して生じ、
前記ダイヤル番号サフィックスプロトコルを介した前記移動局との通信は、サフィックスを検索し、当該サフィックスを翻訳してシグナリングを復号化することを具備する、
集中型サーバ。
【請求項１２】
前記集中型サーバは、前記付加サービスについて情報を保存するよう更に構成され、
前記情報は、前記IPマルチメディアサブシステムドメインにおける前記音声通話に対応するIPマルチメディアサブシステムドメイン関連情報と、前記回路交換型ドメインにおける前記音声通話に対応する回路交換型ドメイン関連情報とを包含する
請求項１１記載の集中型サーバ。
【請求項１３】
集中型方式における付加サービスの調整を容易にするよう構成される移動局において、
回路交換型ドメインに音声通話を置くための手段と、
IPマルチメディアサブシステムドメインに音声通話を置くための手段と、
少なくとも一部が前記IPマルチメディアサブシステムドメインにおける前記音声通話だけでなく前記回路交換型ドメインにおける前記音声通話のための付加サービスに関連する情報をIPマルチメディアサブシステムコアネットワーク上で集中型サーバと交換するための手段と
を具備し、
前記情報は、パケット交換型トランスポートプロトコル、データバーストメッセージプロトコル、ショートメッセージサービスプロトコル、デュアルトーンマルチ周波数プロトコルおよびダイヤル番号サフィックスプロトコルのうち少なくとも１つを介して前記集中型サーバと交換され、
前記集中型サーバと情報を交換することは、当該集中型サーバへシグナリングメッセージを送信することを具備し、
前記シグナリングメッセージは、呼び出される付加サービスを識別するサービス識別フィールドと、前記呼び出される付加サービスに特有のデータと、前記呼び出される付加サービスに特有の更なるデータを交換するためのダイアログの継続を表示するフィールドとを具備し、
前記ダイヤル番号サフィックスプロトコルが実行され、
前記集中型サーバとの通信は、前記ダイヤル番号サフィックスプロトコルを介して生じ、
前記ダイヤル番号サフィックスプロトコルを介した前記集中型サーバとの通信は、前記集中型サーバへの呼発生中に、ダイヤル番号に符号化されたシグナリングをサフィックスとして付加することを具備する、
移動局。
【請求項１４】
前記IPマルチメディアサブシステムコアネットワーク上で前記集中型サーバを介して、前記回路交換型ドメインにおける音声通話に対応する付加サービスを呼び出すための手段と、
前記音声通話が前記回路交換型ドメインにある間に前記付加サービスにアクセス及び／または前記付加サービスを更新するために前記集中型サーバと通信するための手段と
を更に具備する請求項１３記載の移動局。
【請求項１５】
前記集中型サーバとの通信に用いられ得るトランスポートプロトコル及びシグナリングプロトコルを選択するための手段を更に具備し、
前記選択したトランスポートプロトコル及び前記選択したシグナリングプロトコルは、前記付加サービスを呼び出し、前記付加サービスにアクセス及び／または前記付加サービスを更新するために使用される
請求項１４記載の移動局。
【請求項１６】
前記音声通話を前記回路交換型ドメインから前記IPマルチメディアサブシステムドメインに転送するための手段と、
前記音声通話が前記IPマルチメディアサブシステムドメインに転送されたのち、前記付加サービスにアクセス及び／または前記付加サービスを更新するために前記IPマルチメディアサブシステムコアネットワーク上で前記集中型サーバと通信を継続するための手段と
を更に具備する請求項１４記載の移動局。
【請求項１７】
前記IPマルチメディアサブシステムドメインに音声通話を置くための手段と、
前記IPマルチメディアサブシステムコアネットワーク上で前記集中型サーバを介して付加サービスを呼び出すための手段と、
前記IPマルチメディアサブシステムドメインから前記回路交換型ドメインへ前記音声通話を転送するための手段と、
前記音声通話が前記回路交換型ドメインに転送されたのち、前記付加サービスにアクセス及び／または前記付加サービスを更新するために前記IPマルチメディアサブシステムコアネットワーク上で前記集中型サーバと通信を継続するための手段と
を更に具備する請求項１３記載の移動局。
【請求項１８】
移動局に音声通話を回路交換型ドメインに置かせるためのコードと、
前記移動局に音声通話をIPマルチメディアサブシステムドメインに置かせるためのコードと、
前記移動局に、少なくとも一部が前記IPマルチメディアサブシステムドメインにおける前記音声通話だけでなく前記回路交換型ドメインにおける前記音声通話ための付加サービスに関連する情報をIPマルチメディアサブシステムコアネットワーク上で集中型サーバと交換させるためのコードと
を具備し、
前記情報は、パケット交換型トランスポートプロトコル、データバーストメッセージプロトコル、ショートメッセージサービスプロトコル、デュアルトーンマルチ周波数プロトコルおよびダイヤル番号サフィックスプロトコルのうち少なくとも１つを介して前記集中型サーバと交換され、
前記集中型サーバと情報を交換することは、当該集中型サーバへシグナリングメッセージを送信することを具備し、
前記シグナリングメッセージは、呼び出される付加サービスを識別するサービス識別フィールドと、前記呼び出される付加サービスに特有のデータと、前記呼び出される付加サービスに特有の更なるデータを交換するためのダイアログの継続を表示するフィールドとを具備し、
前記ダイヤル番号サフィックスプロトコルが実行され、
前記集中型サーバとの通信は、前記ダイヤル番号サフィックスプロトコルを介して生じ、
前記ダイヤル番号サフィックスプロトコルを介した前記集中型サーバとの通信は、前記集中型サーバへの呼発生中に、ダイヤル番号に符号化されたシグナリングをサフィックスとして付加することを具備する、
コンピュータプログラム。
【請求項１９】
前記移動局に、前記回路交換型ドメインにおける音声通話に対応する付加サービスを前記IPマルチメディアサブシステムコアネットワーク上で前記集中型サーバを介して呼び出させるためのコードと、
前記移動局に、前記音声通話が前記回路交換型ドメインにある間に前記付加サービスにアクセス及び／または前記付加サービスを更新するために前記集中型サーバと通信させるためのコードと
を更に具備する請求項１８記載のコンピュータプログラム。
【請求項２０】
前記移動局に、前記集中型サーバと通信するために用いられ得るトランスポートプロトコル及びシグナリングプロトコルを選択させるためのコードを更に具備し、
前記選択したトランスポートプロトコル及び前記選択したシグナリングプロトコルは前記付加サービスを呼び出し、前記付加サービスにアクセス及び／または前記付加サービスを更新するために使用される
請求項１９記載のコンピュータプログラム。
【請求項２１】
前記移動局に、前記音声通話を前記回路交換型ドメインから前記IPマルチメディアサブシステムドメインに転送させるためのコードと、
前記移動局に、前記音声通話が前記IPマルチメディアサブシステムドメインに転送されたのち、前記付加サービスにアクセス及び／または前記付加サービスを更新するために前記IPマルチメディアサブシステムコアネットワーク上で前記集中型サーバと通信を継続させるためのコードと
を更に具備する請求項１９記載のコンピュータプログラム。
【請求項２２】
前記移動局に前記IPマルチメディアサブシステムドメインに音声通話を置かせるためのコードと、
前記移動局に前記IPマルチメディアサブシステムコアネットワーク上で前記集中型サーバを介して付加サービスを呼び出させるためのコードと、
前記移動局に前記音声通話を前記IPマルチメディアサブシステムドメインから前記回路交換型ドメインに転送させるためのコードと、
前記移動局に、前記音声通話が前記回路交換型ドメインに転送されたのち、前記付加サービスにアクセス及び／または前記付加サービスを更新するために前記IPマルチメディアサブシステムコアネットワーク上で前記集中型サーバと通信を継続させるためのコードと
を更に具備する請求項１８記載のコンピュータプログラム。
【請求項２３】
インターネットプロトコル(IP)マルチメディアサブシステムコアネットワークにおける集中型サーバに、移動局がIPマルチメディアサブシステムドメインまたは回路交換型ドメインに接続されるときに前記移動局との通信を容易にさせるためのコードと、
前記集中型サーバに、前記移動局が前記IPマルチメディアサブシステムドメインまたは前記回路交換型ドメインに接続されるときに前記移動局に伴って生じる音声通話のための付加サービスに関連する情報を前記移動局と交換させるためのコードと
を具備し、
前記情報は、パケット交換型トランスポートプロトコル、データバーストメッセージプロトコル、ショートメッセージサービスプロトコル、デュアルトーンマルチ周波数プロトコルおよびダイヤル番号サフィックスプロトコルのうち少なくとも１つを介して前記移動局と交換され、
前記移動局と情報を交換することは、当該移動局からシグナリングメッセージを受信することを具備し、
前記シグナリングメッセージは、呼び出される付加サービスを識別するサービス識別フィールドと、前記呼び出される付加サービスに特有のデータと、前記呼び出される付加サービスに特有の更なるデータを交換するためのダイアログの継続を表示するフィールドとを具備し、
前記ダイヤル番号サフィックスプロトコルが実行され、
前記移動局との通信は、前記ダイヤル番号サフィックスプロトコルを介して生じ、
前記ダイヤル番号サフィックスプロトコルを介した前記移動局との通信は、サフィックスを検索し、当該サフィックスを翻訳してシグナリングを復号化することを具備する、
コンピュータプログラム。
【請求項２４】
集中型方式における付加サービスの調整を容易にする方法において、
回路交換型ドメインに音声通話を置くことと、
IPマルチメディアサブシステムドメインに音声通話を置くことと、
少なくとも一部が前記IPマルチメディアサブシステムドメインにおける前記音声通話だけでなく前記回路交換型ドメインにおける前記音声通話のための付加サービスに関連する情報をIPマルチメディアサブシステムコアネットワーク上で集中型サーバと交換することと
を具備し、
前記情報は、パケット交換型トランスポートプロトコル、データバーストメッセージプロトコル、ショートメッセージサービスプロトコル、デュアルトーンマルチ周波数プロトコルおよびダイヤル番号サフィックスプロトコルのうち少なくとも１つを介して前記集中型サーバと交換され、
前記集中型サーバと情報を交換することは、当該集中型サーバへシグナリングメッセージを送信することを具備し、
前記シグナリングメッセージは、呼び出される付加サービスを識別するサービス識別フィールドと、前記呼び出される付加サービスに特有のデータと、前記呼び出される付加サービスに特有の更なるデータを交換するためのダイアログの継続を表示するフィールドとを具備し、
前記ダイヤル番号サフィックスプロトコルが実行され、
前記集中型サーバとの通信は、前記ダイヤル番号サフィックスプロトコルを介して生じ、
前記ダイヤル番号サフィックスプロトコルを介した前記集中型サーバとの通信は、前記集中型サーバへの呼発生中に、ダイヤル番号に符号化されたシグナリングをサフィックスとして付加することを具備する、
方法。
【請求項２５】
前記IPマルチメディアサブシステムコアネットワーク上で前記集中型サーバを介して、前記回路交換型ドメインにおける音声通話に対応する付加サービスを呼び出すことと、
前記音声通話が前記回路交換型ドメインにある間に前記付加サービスにアクセス及び／または前記付加サービスを更新するために前記集中型サーバと通信することと
を更に具備する請求項２４記載の方法。
【請求項２６】
前記音声通話を前記回路交換型ドメインから前記IPマルチメディアサブシステムドメインに転送することと、
前記音声通話が前記IPマルチメディアサブシステムドメインに転送されたのち、前記付加サービスにアクセスまたは前記付加サービスを更新するために前記IPマルチメディアサブシステムコアネットワーク上で前記集中型サーバと通信を継続することと
を更に具備する請求項２５記載の方法。
【請求項２７】
前記IPマルチメディアサブシステムドメインに音声通話を置くことと、
前記IPマルチメディアサブシステムコアネットワーク上で前記集中型サーバを介して付加サービスを呼び出すことと、
前記IPマルチメディアサブシステムドメインから前記回路交換型ドメインへ前記音声通話を転送することと、
前記音声通話が前記回路交換型ドメインに転送されたのち、前記付加サービスにアクセスまたは前記付加サービスを更新するために前記IPマルチメディアサブシステムコアネットワーク上で前記集中型サーバと通信を継続することと
を更に具備する請求項２４記載の方法。
【発明の詳細な説明】
【技術分野】
【０００１】
（関連出願の相互参照）  
この出願は、“ＩＭＳコアにおける集中型付加サービス”について２００６年７月２１日に出願され、譲受人に譲渡され、参照により本願明細書に引用される米国特許出願第60/832,568と関連し、この出願からの優先権を主張する。
【０００２】
本開示は、一般に無線通信システムに関する。より具体的には、本開示は、集中型方式における音声通話に関する付加サービスの調整のためのシステム及び方法に関する。
【背景技術】
【０００３】
電子機器は複数の通信プロトコルを包含できる。例えば、モバイル機器は従来の移動体通信ばかりでなく頻繁なＥメールの提供、インターネットアクセスのための多機能デバイスとなっている。モバイル機器は、例えば、以下の技術を利用した高域無線接続性を備えている。この技術は、第３世代無線またはセルラシステム(3G)、Institute for Electrical and Electronic Engineers(IEEE) 802.16(WiMax)、及び他の将来定義される無線広域ネットワーク(WWAN)技術）である。一方、IEEE 802.11を基礎にした無線ローカルエリアネットワーク(WLAN)の接続性もまたモバイル機器に組み込まれる。近い将来、超広帯域(UWB)及び／またはBluetooth（登録商標）を基礎とする無線パーソナルエリアネットワーク(WPAN)のローカル接続性もモバイル機器に利用可能となるかもしれない。
【０００４】
電子機器における複数の通信プロトコルの他の例には、ラップトップと無線マウス、無線キーボードなどとを接続するために利用されるWPANを包含するラップトップが含まれる。そのほかに、ラップトップは当該ラップトップにWLANとの通信を可能にさせるためのIEEE 802.11bまたは802.11g機器を含んでもよい。WLANは大衆に普及しており、例えば個人用及び業務用のいずれに関しても家庭内でセットアップされている。加えて、コーヒーショップ、インターネットカフェ、図書館、公共団体及び民間団体がWLANを利用する。
【０００５】
WWAN技術は、広域な（遍在する）サービスエリア及び広域な配置で区別される。しかしながら、WWAN技術は、建物の侵入損失、不感地帯、WLAN及びWPANに比べて限られた帯域に悩まされるおそれがある。WLAN及びWPAN技術は、数百MBpsに迫る非常に高いデータレートを実現させるが、サービスエリアは一般的にWLANの場合には数百フィート、WPANの場合には数十フィートに限られる。
【０００６】
ネットワーク及びプロトコルの数は固有ユーザ要求及びプロトコルの不一致に関連する機能性に対する需要のために急速に増加し続けている。前述のものを考慮するに、ネットワーク間での継ぎ目のない移行及び／またはユーザにとって最適な通信プロトコルを最大限に利用し、かつ、集中するためのプロトコルを提供する必要がある。
【図面の簡単な説明】
【０００７】
【図１】図１は、多元接続無線通信システムの説明図である。
【図２】図２は、移動局の簡略化されたブロック図を示す。
【図３】図３は、集中型方式における付加サービスの調整のためのシステムの一実施形態を示す。
【図４】図４は、図３のシステムにおける移動局の動作のいくつかの態様を示す。
【図４Ａ】図４Ａは、図４に示す方法に対応するミーンズプラスファンクションブロックを示す。
【図５】図５は、図３のシステムにおける移動局の動作のいくつかの付加的な態様を示す。
【図５Ａ】図５Ａは、図５に示す方法に対応するミーンズプラスファンクションブロックを示す。
【図６】図６は、図３のシステムにおける移動局の動作のいくつかの付加的な態様を示す。
【図６Ａ】図６Ａは、図６に示す方法に対応するミーンズプラスファンクションブロックを示す。
【図７】図７は、図３のシステムにおける移動局及び集中型サーバによって実行され得る各種トランスポートプロトコルを示す。
【図８】図８は、移動局から集中型サーバへ、またはその逆方向に送信され得るシグナリングメッセージを示す。
【図９】図９は、通信装置において利用され得る各種コンポーネントを示す。
【発明を実施するための形態】
【０００８】
集中型方式における付加サービスの調整を容易にするように構成される移動局が開示される。移動局は、回路交換方式(CS)ドメインに音声通話を置くように構成されるCSコンポーネントを含んでよい。移動局は、IPマルチメディアサブシステム(IMS)ドメインに音声通話を置くように構成されるIMSコンポーネントも含んでよい。IMSコンポーネントは、IMSコアネットワークとの通信を容易にするためのトランスポートコンポーネントを含んでよい。IMSコンポーネントは、トランスポートコンポーネントを介してIMSコアネットワーク上で集中型サーバと情報を交換するように構成されるシグナリングコンポーネントを含んでもよい。集中型サーバと交換される情報の少なくとも一部は、IMSドメインにおける音声通話だけでなくCSドメインにおける音声通話に関する付加サービスに関連してよい。
【０００９】
移動局は、CSドメインに音声通話を置くように構成されてよい。移動局はIMSコアネットワーク上で集中型サーバを介して付加サービスを呼び出すように構成されてもよい。移動局は、音声通話がCSドメインにある間に、付加サービスにアクセス及び／または付加サービスを更新するために集中型サーバと通信するように構成されてもよい。
【００１０】
移動局は、集中型サーバと通信するために用いられ得るトランスポートプロトコル及びシグナリングプロトコルを選択するように構成されてもよい。選択したトランスポートプロトコル及び選択したシグナリングプロトコルは、付加サービスを呼び出し、また、付加サービスにアクセス及び／または付加サービスを更新するために用いられてもよい。
【００１１】
移動局は、CSドメインからIMSドメインに音声通話を転送するように構成されてもよい。音声通話がIMSドメインに転送されたのち、移動局は付加サービスにアクセス及び／または付加サービスを更新するためにIMSコアネットワーク上で集中型サーバと通信するように構成されてもよい。
【００１２】
移動局は、IMSドメインに音声通話を置くように構成されてよい。移動局は、IMSコアネットワーク上で集中型サーバを介して付加サービスを呼び出すように構成されてもよい。移動局は、IMSドメインからCSドメインに音声通話を転送するように構成されてもよい。移動局は、CSドメインに音声通話が転送されたのちに、付加サービスにアクセス及び／または付加サービスを更新するためにIMSコアネットワーク上で集中型サーバとの通信を継続するように構成されてもよい。
【００１３】
トランスポートコンポーネントは、パケット交換型トランスポートプロトコルを実行してよい。集中型サーバとの通信は、パケット交換型トランスポートプロトコルを介して生じてよい。
【００１４】
トランスポートコンポーネントは、データバーストメッセージプロトコルを実行してよい。集中型サーバとの通信は、データバーストメッセージプロトコルを介して生じてよい。
【００１５】
トランスポートコンポーネントは、ショートメッセージサービスプロトコルを実行してよい。集中型サーバとの通信は、ショートメッセージサービスプロトコルを介して生じてよい。
【００１６】
トランスポートコンポーネントは、デュアルトーンマルチ周波数プロトコルを実行してよい。集中型サーバとの通信は、デュアルトーンマルチ周波数プロトコルを介して生じてよい。
【００１７】
トランスポートコンポーネントは、ダイヤル番号サフィックスプロトコルを実行してよい。集中型サーバとの通信は、ダイヤル番号サフィックスプロトコルを介して生じてよい。
【００１８】
トランスポートコンポーネントは、非構造付加サービスデータプロトコルを実行してよい。集中型サーバとの通信は、非構造付加サービスデータプロトコルを介して生じてよい。
【００１９】
シグナリングコンポーネントは、集中型サーバにシグナリングメッセージを送信するように構成されてよい。シグナリングメッセージは、呼び出される付加サービスを識別するサービスＩＤフィールドを含んでよい。シグナリングメッセージは、呼び出された付加サービスに特有のデータを含んでもよい。シグナリングメッセージは、呼び出された付加サービスに特有の更なるデータを交換するためのダイアログの継続を示すフィールドを含んでもよい。
【００２０】
移動局は、符号化／復号化コンポーネントを含んでもよい。符号化／復号化コンポーネントは、移動局から集中型サーバへ送信される情報を符号化するように構成されてよい。符号化／復号化コンポーネントは、集中型サーバから移動局へ送信される情報を復号化するように構成されてもよい。
【００２１】
IPマルチメディアサブシステム(IMS)コアネットワークの一部であって、音声通話に関する付加サービスを調整するように構成される集中型サーバもまた開示される。集中型サーバは、IMSドメインまたは回線交換型(CS)ドメインに移動局が接続されるときに当該移動局との通信を容易にするためのトランスポートコンポーネントを含んでよい。集中型サーバは、トランスポートコンポーネントを介して移動局と情報を交換するように構成されるシグナリングコンポーネントを含んでもよい。移動局と交換される情報は、移動局がIMSドメインまたはCSドメインに接続されるときに当該移動局に伴って生じる音声通話に関する付加サービスに関連してもよい。
【００２２】
集中型サーバは、付加サービスに関して情報を保存するように構成されてよい。保存される情報は、IMSドメインにおける音声通話に対応するIMSドメイン関連の情報を含んでよい。保存される情報は、CSドメインにおける音声通話に対応するCSドメイン関連の情報を含んでもよい。
【００２３】
集中型方式における付加サービスの調整を容易にするように構成される移動局もまた開示される。移動局は、CSドメインに音声通話を置くための手段を含んでよい。移動局は、IMSドメインに音声通話を置くための手段を含んでもよい。移動局は、IMSコアネットワーク上で集中型サーバと情報を交換するための手段を含んでもよい。集中型サーバと交換される情報の少なくとも一部は、IMSドメインにおける音声通話だけでなくCSドメインにおける音声通話のための付加サービスに関連してよい。
【００２４】
移動局は、IMSコアネットワーク上で集中型サーバを介して付加サービスを呼び出すための手段を含んでもよい。付加サービスは、CSドメインにおける音声通話に対応してよい。移動局は、音声通話がCSドメインにある間に付加サービスにアクセス及び／または付加サービスを更新するために集中型サーバと通信するための手段を含んでもよい。
【００２５】
移動局は、集中型サーバと通信をするために使用され得るトランスポートプロトコル及びシグナリングプロトコルを選択するための手段を含んでもよい。選択したトランスポートプロトコル及び選択したシグナリングプロトコルは、付加サービスを呼び出し、また、付加サービスにアクセス及び／または付加サービスを更新するために使用されてよい。
【００２６】
移動局は、CSドメインからIMSドメインに音声通話を転送するための手段を含んでもよい。移動局は、音声通話がIMSドメインに転送されたのちに付加サービスにアクセス及び／または付加サービスを更新するためにIMSコアネットワーク上で集中型サーバと通信を継続するための手段を含んでもよい。
【００２７】
移動局は、IMSドメインに音声通話を置くための手段を含んでよい。移動局は、IMSコアネットワーク上で集中型サーバを介して付加サービスを呼び出すための手段を含んでもよい。移動局は、IMSドメインからCSドメインに転送するための手段を含んでもよい。移動局は、音声通話がCSドメインに転送されたのちに付加サービスにアクセス及び／または付加サービスを更新するためにIMSコアネットワーク上で集中型サーバと通信を継続するための手段を含んでもよい。
【００２８】
コンピュータ読み取り可能な媒体を包含するコンピュータプログラム製品もまた開示される。コンピュータ読み取り可能な媒体は、移動局にCSドメインに音声通話を置かせるためのコードを備えてよい。コンピュータ読み取り可能な媒体は、移動局にIMSドメインに音声通話を置かせるためのコードを備えてもよい。コンピュータ読み取り可能な媒体は、移動局にIMSコアネットワーク上で集中型サーバと情報を交換させるためのコードを備えてもよい。集中型サーバと交換される情報の少なくとも一部は、IMSドメインにおける音声通話だけでなくCSドメインにおける音声通話のための付加サービスに関連してよい。
【００２９】
コンピュータ読み取り可能な媒体は、移動局にIMSコアネットワーク上で集中型サーバを介して付加サービスを呼び出させるためのコードを備えてもよい。付加サービスは、CSドメインにおける音声通話に対応してよい。コンピュータ読み取り可能な媒体は、移動局に音声通話がCSドメインにある間に付加サービスにアクセス及び／または付加サービスを更新するために集中型サーバと通信させるためのコードを備えてもよい。
【００３０】
コンピュータ読み取り可能な媒体は、移動局に集中型サーバとの通信のために使用され得るトランスポートプロトコル及びシグナリングプロトコルを選択させるためのコードを備えてもよい。選択されたトランスポートプロトコル及び選択されたシグナリングプロトコルは、付加サービスを呼び出し、また、付加サービスにアクセス及び／または付加サービスを更新するために使用されてよい。
【００３１】
コンピュータ読み取り可能な媒体は、移動局にCSドメインからIMSドメインへ音声通話を転送させるためのコードを備えてもよい。コンピュータ読み取り可能な媒体は、移動局に音声通話がIMSドメインに転送されたのちに付加サービスにアクセス及び／または付加サービスを更新するためにIMSコアネットワーク上で集中型サーバと通信を継続させるためのコードを備えてもよい。
【００３２】
コンピュータ読み取り可能な媒体は、移動局にIMSドメインに音声通話を置かせるためのコードを備えてもよい。コンピュータ読み取り可能な媒体は、移動局にIMSコアネットワーク上で集中型サーバを介して付加サービスを呼び出させるためのコードを備えてもよい。コンピュータ読み取り可能な媒体は、移動局にIMSドメインからCSドメインに音声通話を転送させるためのコードを備えてもよい。コンピュータ読み取り可能な媒体は、移動局にCSドメインに音声通話が転送されたのちに付加サービスにアクセス及び／または付加サービスを更新するためにIMSコアネットワーク上で集中型サーバと通信を継続させるためのコードを備えてもよい。
【００３３】
コンピュータ読み取り可能な媒体を包含するプログラム製品もまた開示される。コンピュータ読み取り可能な記憶媒体は、IPマルチメディアシステム(IMS)コアネットワークにおける集中型サーバに、移動局が回線交換型(CS)ドメインまたはIMSドメインに接続されているときに当該移動局との通信を容易にさせるためのコードを備えてよい。コンピュータ読み取り可能な媒体は、集中型サーバに移動局と情報を交換させるためのコードを備えてもよい。この情報は、移動局がIMSドメインまたはCSドメインに接続されているときに当該移動局に伴って生じる音声通話のための付加サービスに関連してよい。
【００３４】
いくつかの典型的な実施形態がこれから図面を参照して開示される。いくつかの典型的な実施形態についてのこの詳細な説明は、図示されるように、請求の範囲を制限することを意図しない。
【００３５】
「典型的な(exemplary)」という用語は、もっぱら本願明細書において「実例(example)、事例(instance)または例証(illustration)としての役割を果たす」を意味するために用いられる。「典型的な(exemplary)」として記述されるどの実施形態も、他の実施形態に比べて推奨される、或いは有利であるものとして必ずしも解釈されるべきでない。
【００３６】
本願明細書で用いられるように、「１つの実施形態(an embodiment)」、「実施形態(embodiment)」、「複数の実施形態(embodiments)」、「その実施形態(the embodiment)」、「その複数の実施形態(the embodiments)」、「１またはそれ以上の実施形態(one or more embodiments)」、「いくつかの実施形態(some embodiments)」、「とある実施形態(certain embodiments)」、「一実施形態(one embodiment)」、「別の実施形態(another embodiment)」及び類似の用語は、明確に異なるように指定される場合を除いて「１またはそれ以上（必ずしも全てでない）実施形態(one or more (but not necessarily all)」を意味する。
【００３７】
「判断(determining)」なる用語（及びその文法的変形）は、極めて広い意味で用いられる。「判断(determining)」なる用語は、動作の幅広い種類を包含し、故に、「判断(determining)」は、計算、コンピュータ計算、処理、導出、調査、検索（例えば、テーブル、データベースまたは別のデータ構造における検索）、解明及び類似の動作を含み得る。同様に、「判断(determining)」は、受信（例えば、情報の受信）、アクセス（例えば、メモリ内データへのアクセス）及び類似の動作を含み得る。同様に、「判断(determining)」は、決定、選択、選出、確立及び類似の動作を含み得る。
【００３８】
「〜に基づいて(based on)」なる言い回しは、明確に異なるように指定される場合を除いて「〜のみに基づいて(based only on)」を意味しない。換言すれば、「〜に基づいて(based on)」なる言い回しは、「〜のみに基づいて(based only on)」及び「少なくとも〜に基づいて(based at least on)」の双方を表す。
【００３９】
図１は、多元アクセス無線通信システム１００の説明図である。有線ローカルエリアネットワーク(LAN)に関連するWLANを含むシステム１００が図示される。アクセスポイント１０２は、１またはそれ以上のモバイル機器１０５と通信できる。アクセスポイント(AP)１０２は、LANに関するイーサネット（登録商標）ハブまたはスイッチ１０２に接続されてよい。イーサネットハブ１０２は、パーソナルコンピュータ、周辺機器（例えば、ファクシミリ装置、複写機、プリンタ、スキャナなど）、サーバ及び類似の機器を含み得る１またはそれ以上の電子機器１０４に接続されてよい。イーサネットハブ１０２は、モデム１０８へデータパケットを送信するルータ１０６に接続され得る。モデム１０８は、例えばインターネットなどの広域ネットワーク(WAN)にデータパケットを送信する。システム１００は、単一の、単純なネットワーク構成を例示している。代替的な電子機器を含むシステム１００の多くの付加的な機器構成が見込まれる。システム１００はLANに準拠して図示され説明されるが、システム１００がWWAN及び／またはWPANを含むその他の技術を独立して或いは同時に利用することは可能である。
【００４０】
システム１００は、モバイル機器１０５が当該モバイル機器１０５によって現在利用されているアクセスポイントからシステム１００に関連するアクセスポイント１０２へ継ぎ目なく切り替えることを容易にすることができる。アクセスポイント１０２及びアクセスポイント１０２によってサポートされるネットワークへのそのような転送は、モバイル機器１０５のユーザに求められている機能性を提供するために選択されてもよく、また、モバイル機器の位置またはユーザがアクセス若しくはアップロードをモバイル機器１０５に要求するデータの関数であってもよい。限定でない一例として、無線機器は電子機器１０４を介して利用可能なWWAN及び／またはWLANの機能性を利用するために当該電子機器１０４に結合できる。そのような移行は、ユーザ起動されてもよいし、システムにより自立的に行われてもよい。
【００４１】
図２は、移動局２００の簡略化されたブロック図を示す。移動局２００は、モバイル機器とも呼ばれ、WWAN（例えば、符号分割多元アクセス(CDMA)、WCDMA、または直交周波数分割多元アクセス(OFDMA)）、WLAN（例えば、IEEE 802.11）及び／または関連技術を包含できる。
【００４２】
WWAN機能性を提供するWWANコンポーネント２０２及びWLAN機能性を提供するWLANコンポーネント２０４は、同時に設けられてよく、また、バス２０６またはその他の機構または機器を介して送受信器２０８と通信可能であってもよい。送受信器２０８は、モバイル機器２００による送信及び／または受信を可能にする１またはそれ以上のアンテナ２１０に結合されて示されている。WLANコンポーネント２０４は、通信のために送受信器２０８に提供される音声データを生成できる。WWAN機能コンポーネント２０２及び／またはWLAN機能コンポーネント２０４はモバイル機器２００のプロセッサに包含されてよい。或いは、WWAN機能性及びWLAN機能性は、別個の集積回路によって提供され得る。さらに或いは、WWAN機能性及びWLAN機能性は、１またはそれ以上の集積回路、プロセッサ、ASIC、FPGAまたはそれらの組み合わせを含む類似のものによって提供され得る。移動局２００は、サービス及びユーザエクスペリエンス(user experiences)の豊富な組み合わせを可能とするために広域(WWAN)及びローカルエリア(WLAN及びWPAN)に関する接続オプションを備えてよい。
【００４３】
WLAN機能コンポーネント２０４は、随意的なWPAN機能コンポーネント２１２を含み得る。移動局２００は、当該移動局２００の機能に関する１またはそれ以上の基準に基づいてWWANまたはWLAN及びWPANのいずれかに、或いは、同時に両方に接続できる。更に、ネットワーク及び／またはプロトコルの各々の間の切り替えに関する処理及び基準もまた用意されてよい。基準は移動局２００のメモリに保存されてよく、プロセッサは保存された基準に基づいてネットワークを解析できる。
【００４４】
移動局２００は、ボイスオーバーインターネットプロトコル(VoIP)電話として利用され得る。VoIPは、音声の電話会話をインターネット及び／またはIPネットワークを経由して送信することを含み、WLANコンポーネント２０４によって提供され得る。VoIPは、家庭内で或いはモバイル機器２００がVoIPサービスを提供するブロードバンドネットワークに接続される無線アクセスポイント(WAP)のそばにあるときに、モバイル機器２００によって利用され得る。その他の状況において、通信サービスを提供している間に移動局２００は通常の無線携帯電話機として機能してよい。
【００４５】
G711、G723、G729、EVRC、SMV、4GV、AMRのようなボコーダを用いて、パケットが１０ミリ秒または２０ミリ秒毎に生成されてよい。WLAN上で各パケットの送信時間は、802.11 a/b/gのバージョン及びネットワーク内で見込まれる混雑状態に依存するかもしれない。送受信器２０８をon/offする時間に伴う遅延時間もあるかもしれない。
【００４６】
IPマルチメディアサブシステム(IMS)は、IPマルチメディアサービスをエンドユーザへ配信するためのアーキテクチャの枠組みであって、第３世代パートナーシッププロジェクト(3GPP)により当初策定された。IMSは可能な限りインターネットエンジニアリングタスクフォース(IETF)プロトコルを利用している。
【００４７】
無線通信ネットワークは、コアネットワーク及びアクセスネットワークインフラストラクチャに論理的に分割されてよい。コアネットワークインフラストラクチャは、回路交換型(CS)ドメイン、パケット交換型(PS)ドメイン及びIMSドメインに論理的に分割されてよい。
【００４８】
CSドメインは、関連するシグナリングをサポートするコンポーネントだけでなくユーザトラフィックのためにCSタイプの通信を提供するコアネットワークコンポーネントを含む。CSタイプの通信は、通信の確立時に専用のネットワークリソースが割り当てられ、通信の解放時に解放される通信である。
【００４９】
PSドメインは、関連するシグナリングをサポートするコンポーネントだけでなくユーザトラフィックのためにPSタイプの通信を提供するコアネットワークコンポーネントを含む。PSタイプの通信はパケットと呼ばれるビットの自治的な連結を用いてユーザ情報を運び、PSタイプの通信において各パケットは過去のパケットと無関係に経路を設定され得る。IMSドメインは、PSドメイン上で配信されるIPマルチメディアサービス(例えば、音声、映像、テキスト、チャットなど)を提供するよう機能するコアネットワークコンポーネントを含む。
【００５０】
ボイスコールコンティニュイティー(VCC)は、モバイル加入者にIMSドメインにおけるVoIPセッションとCSドメインにおける音声通話との間の技術間ハンドオフの実行を可能にする手続に与えられる名称である。故に、VCCは、異なるドメインを横断する継続中の音声通話に関して継ぎ目のないハンドオフを可能にする。
【００５１】
とある態様において、本開示は、移動局によって利用されている現在のアクセスネットワークとは無関係な、IMSコアにおける集中型付加サービスをサポートすると共に、付加サービスに関係する呼に関してアクセスネットワークを横断する継ぎ目のない呼継続をサポートするための方法を提供する。
【００５２】
共通の付加サービスは、通話保留、キャッチホン、多人数通話などを含む。従来、CSドメインにおいて呼び出される付加サービスはCSドメインにおいて管理される一方、IMSドメインにおいて呼び出される付加サービスはIMSドメインにおいて管理される。即ち、CSドメインはCSサービスエリアにある間に移動局によって呼び出される付加サービスを提供する一方、IMSドメインはIMSサービスエリアにある間に移動局によって呼び出される付加サービスを提供する。周知のアプローチにあっては、CSドメイン及びIMSドメインは呼び出された付加サービスの状態を交換しない。結果的に、１またはそれ以上の付加サービスに関係する移動局がCSドメイン及びIMSドメインの間でハンドオーバーを行うとき、移動局は過去のドメインにおいて呼び出した付加サービスを制御ないし管理できないかもしれない。付加サービスに関係する通話は、宙ぶらりんになるかもしれないし見失われるかもしれない。
【００５３】
本開示は、移動局がCSドメインまたはIMSドメインのいずれにおいて付加サービスを呼び出していようとも無関係な、IMSコアにおける集中型方式の付加サービスを調整するための方法を提供する。この開示は、宙ぶらりんな通話や中断される通話といったアーチファクトを伴わずにCSドメイン及びIMSドメインの間で付加サービスに関係する通話の継ぎ目のないハンドオーバーを容易にし得る。本開示は、移動局に対して付加サービスを管理するための高速なリアルタイム制御をも容易にし得る。
【００５４】
図３は、集中型方式における付加サービスの調整に関するシステム３００の一実施形態を図示する。移動局３０２が示されている。移動局３０２は、CSコアネットワーク３０６及び／またはIMSコアネットワーク３０８と接続するためにアクセスネットワーク３０４を利用してもよい。移動局３０２は、CSドメインコンポーネント３１０及びIMSドメインコンポーネント３１２を備えて示されている。CSドメインコンポーネント３１０は、CSドメインに音声通話を置くために用いられてもよく、例えば、CSコアネットワーク３０６を介してCSタイプの通信を利用する。IMSドメインコンポーネント３１２は、IMSドメインに音声通話を置くために用いられてもよく、例えば、IMSコアネットワーク３０８を介してボイスオーバーインターネットプロトコル(VoIP)を利用する。
【００５５】
IMSコアネットワーク３０８は、集中型付加サービスサーバ（集中型サーバ）３１４を備えて示されている。移動局３０２が音声通話を、CSドメイン通話またはIMSドメイン通話のいずれかの音声通話を置くときに、集中型サーバ３１４は通話中に用いられる付加サービスを管理するために用いられてよい。故に、移動局３０２がCSドメインにおける音声通話に関係しているときさえも、IMSコアネットワーク３０８上の集中型サーバ３１４は通話中に用いられる付加サービスを管理するために用いられてよい。
【００５６】
現在のIMS実装はVCCアプリケーションサーバとして参照されるサーバを利用する。VCCアプリケーションサーバは、本願明細書において記述される集中型サーバ３１４として機能できるように修正されてよい。或いは、集中型サーバ３１４がVCCアプリケーションサーバから独立して実装されてよい。
【００５７】
移動局３０２によって用いられる付加サービスを管理することの一部として、集中型サーバ３１４は当該集中型サーバ３１４及び移動局３０２の双方によってサポートされるトランスポートプロトコル及びシグナリングプロトコルを用いて移動局３０２と通信してよい。図３は、移動局３０２のIMSドメインコンポーネント３１２をトランスポートコンポーネント３１６ａ及びシグナリングコンポーネント３１８ａを含んでいるように示す。トランスポートコンポーネント３１６ａは１またはそれ以上のトランスポートプロトコル３２０ａの実装を備えて示されており、シグナリングコンポーネント３１８ａは１またはそれ以上のシグナリングプロトコル３２２ａを備えて示されている。
【００５８】
図３は、集中型サーバ３１４をトランスポートコンポーネント３１６ｂ及びシグナリングコンポーネント３１８ｂを含んでいるようにも示す。トランスポートコンポーネント３１６ｂは１またはそれ以上のトランスポートプロトコル３２０ｂの実装を備えて示されており、シグナリングコンポーネント３１８ｂは１またはそれ以上のシグナリングプロトコル３２２ｂを備えて示されている。
【００５９】
移動局３０２及び集中型サーバ３１４上のトランスポートコンポーネント３１６ａ、３１６ｂは、移動局３０２及びIMSコアネットワークの間の通信手段を提供してよい。移動局３０２及び集中型サーバ３１４上のシグナリングコンポーネント３１８ａ、３１８ｂは、付加サービスを管理するためにトランスポートプロトコル３２０の下で利用される情報の交換を定義してよい。集中型サーバ３１４及び移動局３０２の双方によって実行される少なくとも１つのトランスポートプロトコル３２０及び少なくとも１つのシグナリングプロトコル３２２があってよい。
【００６０】
適したトランスポートプロトコル３２０及び適したシグナリングプロトコル３２２を用いて、移動局３０２及び集中型サーバ３１４は付加サービスの管理を集中化するための情報を交換し得る。移動局３０２の現在の接続に関係なく、移動局３０２はサポートされるトランスポートプロトコル３２０の１つを選出し、適したシグナリングプロトコル３２２に従って音声通話における付加サービスを呼び出し、付加サービスにアクセスし、また付加サービスを更新するために集中型サーバ３１４と情報を交換してもよい。本開示は、それ故にCSドメイン及びIMSドメインの間で付加サービスに関係する音声通話の継ぎ目ないハンドオーバーを容易にし得る。
【００６１】
図３は、移動局３０２を符号化／復号化コンポーネント３２４ａを含んでいるように示す。図３は、集中型サーバ３１４を符号化／復号化コンポーネント３２４ｂを含んでいるようにも示す。移動局３０２によって集中型サーバ３１４へ送信され、または、集中型サーバ３１４によって移動局３０２へ送信される情報は、送信側で符号化され、それから受信側で復号化されてもよい。このことは、例えば、用いられているトランスポートプロトコル３２０がキャパシティの限界を有するときに必要なデータレートを削減するために、行われてよい。情報を符号化するために、本開示は付加サービスに特有のデータだけでなく付加サービスを符号化するための標準的な辞書の使用を提案する。符号化／復号化処理は、過去に符号化されたデータがそれに続くデータをより効率的に符号化するために使用できるような適応的なものであってもよい。
【００６２】
集中型サーバ３１４は、管理される付加サービスに関して情報３２６を保存してもよい。図３は、この情報３２６がデータベース３２８に保存されていることを示す。保存される情報３２６は、CSドメインにおける音声通話に対応するCSドメイン関連情報３３０を含んでよい。保存される情報３２６は、IMSドメインにおける音声通話に対応するIMSドメイン関連情報３３２を含んでもよい。
【００６３】
図３において、CSコアネットワーク３０６及びIMSコアネットワーク３０８は、別個のネットワークとして示される。或いは、これらネットワーク３０６及び３０８の間に一部のオーバラップがあってもよい。例えば、いくつかのコンポーネントがCSコアネットワーク３０６の一部でありながらIMSコアネットワーク３０８の一部であってもよい。一部の実装において、CSコアネットワーク３０６及びIMSコアネットワーク３０８は、CSコンポーネント（CSコアネットワーク３０６）及びIMSコンポーネント（IMSコアネットワーク３０８）を備える単一のコアネットワークとしてひとまとめにして参照されてよい。
【００６４】
図４は、図３のシステム３００における移動局３０２の動作のいくつかの態様を図示する。特に、描かれる方法４００は、CSドメインにおける音声通話（例えば、CSコアネットワーク３０６を介したCSタイプの通信を用いる音声通話）中にどのように移動局３０２が動作するように構成され得るかを例示する。
【００６５】
描かれる方法４００に従って、移動局３０２はCSドメインに音声通話を置いてよい（４０２）。通話中のある時点で、移動局３０２は１またはそれ以上の付加サービスが呼び出されるべきことを判断してよい（４０４）。例えば、移動局３０２のユーザは移動局３０２によって１またはそれ以上の付加サービスの呼び出しのための要求として解釈され得る何らかの操作を行うかもしれない。呼び出される付加サービスは、本願明細書において所望付加サービスとして参照されることになる。
【００６６】
１またはそれ以上の付加サービスが呼び出されるべきことの判断（４０４）に応えて、移動局３０２は集中型サーバ３１４と通信するために用いられ得るトランスポートプロトコル３２０を選択してよい（４０６）。移動局３０２は、集中型サーバ３１４と通信するために用いられ得るシグナリングプロトコル３２２も選択してよい（４０８）。ひとたびトランスポートプロトコル３２０及びシグナリングプロトコル３２２が選択されると（４０６，４０８）、移動局３０２は集中型サーバ３１４を介して所望付加サービスを呼び出す（４１０）ために、選択したトランスポートプロトコル３２０及びシグナリングプロトコル３２２を使用してよい。換言すれば、移動局３０２は、所望付加サービスの呼び出しに関して、選択したトランスポートプロトコル３２０及び選択したシグナリングプロトコル３２２を使用しながら、集中型サーバ３１４と通信してよい。ひとたび所望付加サービスが呼び出されると（４１０）、移動局３０２は、音声通話の継続期間中に、必要に応じ、付加サービスにアクセス及び／または付加サービスを更新するために集中型サーバ３１４と通信してよい（４１２）。
【００６７】
別の実施形態において、移動局３０２は、１またはそれ以上の付加サービスが呼び出されるべきことの判断（４０４）をきっかけとせずに、トランスポートプロトコル３２０を選択し（４０６）、シグナリングプロトコル３２２を選択して（４０８）よい。例えば、移動局３０２は、ユーザがのちに１またはそれ以上の付加サービスを呼び出すことを見越してトランスポートプロトコル３２０を選択し（４０６）、シグナリングプロトコル３２２を選択して（４０８）よい。ひとたびトランスポートプロトコル３２０及びシグナリングプロトコル３２２が選択される（４０６，４０８）と、移動局３０２は、集中型サーバ３１４を介した音声通話を確立するために、選択したトランスポートプロトコル３２０及び選択したシグナリングプロトコル３２２を使用してよい。通話中のある時点で、移動局３０２は１またはそれ以上の付加サービスが呼び出されるべきことを判断して（４０４）よい。移動局３０２は、集中型サーバ３１４を介して所望付加サービスを呼び出す（４１０）ために、選択したトランスポートプロトコル３２０及び選択したシグナリングプロトコル３２２を使用してよい。換言すれば、移動局３０２は、所望付加サービスの呼び出しに関して、選択したトランスポートプロトコル３２０及び選択したシグナリングプロトコル３２２を使用しながら、集中型サーバ３１４と通信してよい。ひとたび所望付加サービスが呼び出される（４１０）と、移動局３０２は、音声通話の継続期間中に、必要に応じ、付加サービスにアクセス及び／または付加サービスを更新するために集中型サーバ３１４と通信してよい（４１２）。
【００６８】
前述された図４の方法４００は、図４Ａに例示される対応するミーンズプラスファンクションブロック４００Ａによって行われてよい。換言すれば、図４に例示されるブロック４０２乃至４１２は、図４Ａに例示されるミーンズプラスファンクションブロック４０２Ａ乃至４１２Ａに対応する。
【００６９】
図５は、図３のシステム３００における移動局３０２の動作のいくつかの付加的な態様を例示する。特に、描かれる方法５００は、移動局３０２が参加している音声通話がCSドメインからIMSドメインに移行するときに、どのように移動局３０２が動作するように構成され得るかを例示する。
【００７０】
描かれる方法５００に従って、移動局３０２は音声通話をCSドメイン（例えば、CSコアネットワーク３０６を介したCSタイプの通信）に置いてよい（５０２）。通話中のある時点で、移動局３０２は１またはそれ以上の付加サービスが呼び出されるべきことを判断して（５０４）よい。それ（５０４）に応じて、移動局３０２は集中型サーバ３１４と通信するために用いられ得るトランスポートプロトコル３２０を選択してよい。移動局３０２は、集中型サーバ３１４と通信するために用いられ得るシグナリングプロトコル３２２を選択しても（５０６）よい。ひとたびトランスポートプロトコル３２０及びシグナリングプロトコル３２２が選択される（５０６，５０８）と、移動局３０２は、集中型サーバ３１４を介して所望付加サービスを呼び出す（５１０）ために、選択したトランスポートプロトコル３２０及び選択したシグナリングプロトコル３２２を使用してよい。移動局３０２は、必要に応じて、付加サービスにアクセス及び／または付加サービスを更新するために集中型サーバ３１４と通信して（５１２）よい。方法５００におけるこの時点で移動局３０２がCSドメインに接続されているかもしれないが、それでもなおIMSコアネットワーク３０８上の集中型サーバ３１４は通話中に用いられる付加サービスを管理するために使用されてよい。
【００７１】
ある時点で、移動局３０２はCSドメインからIMSドメインに音声通話を転送して（５１４）よい。音声通話がIMSドメインに転送された（５１４）のち、移動局３０２は、通話の継続期間中に、必要に応じて、付加サービスにアクセス及び／または付加サービスを更新するためにIMSコアネットワーク３０８上の集中型サーバ３１４と通信を継続して（５１６）よい。
【００７２】
別の実施形態において、移動局３０２は、１またはそれ以上の付加サービスが呼び出されるべきことの判断（５０４）をきっかけとせずに、トランスポートプロトコル３２０を選択し（５０６）、シグナリングプロトコル３２２を選択して（５０８）よい。例えば、移動局３０２は、ユーザがのちに１またはそれ以上の付加サービスを呼び出すことを見越して、トランスポートプロトコル３２０を選択し（５０６）、シグナリングプロトコル３２２を選択して（５０８）よい。ひとたびトランスポートプロトコル３２０及びシグナリングプロトコル３２２が選択される（５０６，５０８）と、移動局３０２は集中型サーバ３１４を介して音声通話を確立するために、選択したトランスポートプロトコル３２０及び選択したシグナリングプロトコル３２２を使用してよい。通話中のある時点で、移動局３０２は、１またはそれ以上の付加サービスが呼び出されるべきことを判断して（５０４）よい。移動局３０２は集中型サーバ３１４を介して所望付加サービスを呼び出す（５１０）ために、選択したトランスポートプロトコル３２０及び選択したシグナリングプロトコル３２２を使用してよい。換言すれば、移動局３０２は、所望付加サービスの呼び出しに関して、選択したトランスポートプロトコル３２０及び選択したシグナリングプロトコル３２２を使用しながら、集中型サーバ３１４と通信してよい。ひとたび所望付加サービスが呼び出される（５１０）と、移動局３０２は、必要に応じて、付加サービスにアクセス及び／または付加サービスを更新するために集中型サーバと通信して（５１２）よい。
【００７３】
前述された図５の方法は、図５Ａに例示される対応するミーンズプラスファンクションブロックによって行われてよい。換言すれば、図５に例示されるブロック５０２乃至５１６は、図５Ａに例示されるミーンズプラスファンクションブロック５０２Ａ乃至５１６Ａに対応する。
【００７４】
図６は、図３のシステム３００における移動局３０２の動作のいくつかの付加的な態様を例示する。特に、移動局３０２が参加している音声通話がIMSドメインからCSドメインに転送されるときに、どのように移動局３０２が動作するように構成され得るかを例示する。
【００７５】
描かれる方法６００に従って、移動局３０２はIMSドメインに音声通話を置いて（６０２）よい。通話中のある時点で、移動局３０２は１またはそれ以上の付加サービスが呼び出されるべきことを判断して（６０４）よい。移動局３０２は、必要に応じて、付加サービス及び／または付加サービスを更新するために集中型サーバ３１４と通信してよい（６０６）。
【００７６】
ある時点で、移動局３０２は、付加サービスと共に音声通話をIMSドメインからCSドメインに転送することを決定して（６０８）よい。それ（６０８）に応じて、移動局３０２はCSドメインから集中型サーバ３１４と通信するために用いられ得るトランスポートプロトコル３２０を選択して（６１０）よい。移動局３０２は、CSドメインから集中型サーバ３１４と通信するために用いられ得るシグナリングプロトコル３２２を選択しても（６１２）よい。ひとたび音声通話がIMSドメインからCSドメインへ転送される（６１４）と、移動局３０２は、集中型サーバ３１４と通信を継続して、必要に応じて、付加サービスにアクセス及び／または付加サービスを更新するために、選択したトランスポートプロトコル３２０及び選択したシグナリングプロトコル３２２を使用して（６１６）よい。
【００７７】
前述された図６の方法は、図６Ａに例示される対応するミーンズプラスファンクションブロック６００Ａによって行われてよい。換言すれば、図６に例示されるブロック６０２乃至６１６は、図６Ａに例示されるミーンズプラスファンクションブロック６０２Ａ乃至６１６Ａに対応する。
【００７８】
上で示唆したように、図３のシステム３００における移動局３０２のトランスポートコンポーネント３１６ａは１またはそれ以上のトランスポートプロトコル３２０ａの実装を備えて示され、集中型サーバ３１４のトランスポートコンポーネント３１６ｂもまた１またはそれ以上のトランスポートプロトコル３２０ｂの実装を備えて示される。図７は、移動局３０２及び集中型サーバ３１４によって実行され得る各種トランスポートプロトコル７２０を例示する。移動局３０２及び集中型サーバ３１４の双方とも、本開示で説明されるように、付加サービスの管理を集中化するための情報を交換するために、描かれるトランスポートプロトコル７２０の１またはそれ以上を実行してよい。
【００７９】
移動局３０２は及び集中型サーバ３１４の双方とも、パケット交換型トランスポートプロトコル７３４を実装してよい。パケット交換型トランスポートプロトコル７３４のいくつかの例は、HSPAのような3GPPパケットデータサービス、EVDOまたはSCH、WiFi、WiMaxなどのような3GPP2パケットデータサービスを含む（が、これに限られない）。
【００８０】
移動局３０２及び集中型サーバ３１４の双方とも、データバーストメッセージプロトコル７３６を実装してよい。移動局３０２がCSドメインに接続されるとき、移動局３０２はデータバーストメッセージの特別な形式を利用できる。データバーストメッセージは、移動局３０２によって基地局またはスイッチ（例えば、携帯電話スイッチセンタまたはMSC）のいずれかに送信され得る。基地局またはスイッチは、データバーストメッセージを集中型サーバ３１４へ転送してよい。データバーストメッセージは、IPデータグラムを埋め込んでいてよい。IPデータグラムのソースアドレス及び宛先アドレスは、移動局３０２及び集中型サーバ３１４に夫々対応してよい。基地局またはスイッチは、標準的なIPルーティングを用いてIPデータグラムの経路を定めてよい。
【００８１】
移動局３０２及び集中型サーバ３１４の双方とも、ショートメッセージサービス(SMS)プロトコル７３８を実行してよい。移動局３０２は、当該移動局３０２がCSドメインまたはIMSドメインに接続されるとき、SMSプロトコル７３８の実装を使用してよい。従来のSMSは、付加サービスをインタラクティブに管理するにしては低速であるかもしれない。故に、本開示はSMSメッセージを高速な方式で経路設定する方法を提案する。この特別なトランスポートのために用いられるSMSメッセージは、特別なテレタイプまたは特別な宛先アドレスによって識別されてよい。そのようなメッセージは、ネットワークにおけるルーティングの間に優遇を受けてよい。そのようなメッセージは、集中型サーバ３１４が当該メッセージをいつでも利用できるように構成され得るので、ネットワークに保存されなくてよい。このことは、移動局に運命づけられる従来のSMSと異なる（従来のSMSについて、移動局は電源が切れていたり広域を移動していたりするおそれがあるので、信頼度の高い転送のためにこれらメッセージは移動局に配信され得るまで保存されるかもしれない）。
【００８２】
移動局３０２及び集中型サーバ３１４の双方とも、デュアルトーンマルチ周波数(DTMF)プロトコル７４０を実行してよい。移動局３０２は、当該移動局３０２がCSドメインまたはIMSドメインに接続されるときに、DTMFプロトコル７４０の実装を使用してよい。シグナリングプロトコル３２２は、トーンで符号化されてよい。これらトーンは、帯域内で送信されてよい。移動局３０２からのDTMFトーンの送信を考察しよう。帯域内トーンは、MSCからのどの処理も回避してメディアゲートウェイ(MGW)に到達してよい。メディアゲートウェイはトーンを復号化し、復号済みのトーンを集中型サーバ３１４に渡してよい。集中型サーバ３１４から移動局３０２への他方向におけるトランスポートも同様でよい。
【００８３】
移動局３０２及び集中型サーバ３１４の双方とも、ダイヤル番号サフィックスプロトコル７４２を実行してよい。ダイヤル番号サフィックスプロトコル７４２に従って、移動局３０２は、集中型サーバ３１４への呼発生中に、ダイヤル番号に符号化されたシグナリングをサフィックスとして付加してよい。CSコアネットワーク３０６は、呼設定中に集中型サーバ３１４へプレフィックスを渡してよい。集中型サーバ３１４は、サフィックスを検索し、シグナリングを復号化するためにサフィックスを翻訳してよい。集中型サーバ３１４は、呼設定を続けなくてもよいし、いかなるベアラも設定しなくてよい。ダイヤル番号のサフィックスが全体のシグナリング情報を運ぶのに十分でなければ、移動局３０２は全ての情報が集中型サーバ３１４に届けられるまで上記発生処理を繰り返してよい。集中型サーバ３１４から移動局３０２へもシグナリング情報を転送する必要があるならば、集中型サーバ３１４は同様の手続を使用してよい。集中型サーバ３１４は、呼終了される携帯電話機を設定してよい。シグナリング情報は、移動局３０２のディレクトリ番号に対するサフィックスとして符号化されてよい。或いは、シグナリング情報は、ソースディレクトリ番号として符号化されてもよい。上記プロセスは、移動局３０２に全ての情報が届けられるまで繰り返されてよい。
【００８４】
移動局３０２及び集中型サーバ３１４の双方とも、非構造付加サービスデータ(USSD)プロトコル７４４を実行してよい。移動局３０２及び集中型サーバ３１４は、情報を相互交換するためのトランスポートとしてUSSDプロトコルを使用してよい。
【００８５】
図８は、移動局３０２から集中型サーバ３１４へ、またはその逆方向に送信され得るシグナリングメッセージ８４６を示す。シグナリングメッセージ８４６は、サービス識別フィールド８４８を備えて示されている。サービス識別フィールド８４８は、呼び出される付加サービスを識別し得る。シグナリングメッセージ８４６は、サービス特有データ８５０、言い換えれば呼び出される付加サービスに特有のデータ８５０、を備えて示されてもいる。シグナリングメッセージ８４６は、付加サービスに特有の更なるデータを交換するためのダイアログの継続を表示するフラグフィールド８５２を備えて示されてもいる。付加サービスに特有の更なるデータを交換するためのダイアログの継続を表示するために、フラグフィールド８５２以外のその他のフィールド及び／または手法が用いられてもよい。更に、シグナリングメッセージ８４６は、図８に具体的に示されるものを越えて付加的な情報を含んでよい。前述のとおり、シグナリングメッセージ８４６に含まれる情報は符号化されてよいし、この情報は符号化されずに送信されてよい。
【００８６】
図９は、通信装置９０１において利用され得る各種コンポーネントを例示する。図３のシステム３００における移動局３０２は、通信装置９０１の一例であって、図９に示されるコンポーネントの一部または全部を含み得る。
【００８７】
通信装置９０１は、装置９０１の動作を制御するプロセッサ９０３を含んでよい。プロセッサ９０３は、CPUとしても参照されてよい。メモリ９０５（読み取り専用メモリ(ROM)及びランダムアクセスメモリ(RAM)の双方を含み得る）は、命令及びデータをプロセッサ９０３に提供する。一部のメモリ９０５は、不揮発性ランダムアクセスメモリ(NVRAM)も含み得る。
【００８８】
通信装置９０１は、当該通信装置９０１と遠隔地との間でのデータの送信及び受信を可能にする送信器９１１及び受信器９１３を包み込む筐体９０９を含んでもよい。送信器９１１及び受信器９１３は、送受信器９１５に一体化されてよい。アンテナ９１７は、筐体９０９に取り付けられ、送受信器９１５に電気的に結合されてよい。
【００８９】
通信装置９０１は、送受信器９１５によって受信される信号のレベルを検出して定量化する信号検出器９０７を含んでもよい。信号検出器９０７は、総エネルギー、擬似雑音(PN)チップあたりのパイロットエネルギー、パワースペクトル強度及びその他の信号などのような信号を検出してよい。
【００９０】
通信装置９０１の状態変更器９１９は、現在の状態と、送受信器９１５によって受信され信号検出器９０７によって検出される付加的な信号とに基づいて、通信装置９０１の状態を制御してよい。装置９０１は、多数の状態のうちいずれにおいても動作可能でよい。通信装置９０１は、当該装置９０１を制御し、現在のサービスプロバイダシステムが不適切であると判断するときに装置９０１が乗り換えるべきサービスプロバイダを決定するために用いられ得るシステム決定器９２１を含んでもよい。
【００９１】
通信装置９０１の各種コンポーネントは、データバスに加えてパワーバス、制御信号バス及びステータス信号バスを含み得るバスシステム９２３によって、相互に連結されてよい。しかしながら、明瞭性のために、図９において各種バスが例示されている。通信装置９０１は、信号処理における使用のためにデジタルシグナルプロセッサ(DSP)９２５を含んでもよい。
【００９２】
情報及び信号は、いろいろな異なる技術及び手法のいずれかを用いて表現されてよい。例えば、上記説明の至る所で参照され得るデータ、命令、指令、情報、信号及び類似のものは、電圧、電流、電磁波、磁場または磁性粒子、光場または光子またはそれらの組み合わせによって表現されてよい。
【００９３】
本願明細書において開示される実施形態に関連して記述されるさまざまな図示される論理ブロック、モジュール、回路及びアルゴリズムステップは、電気的ハードウェア、コンピュータソフトウェアまたは双方の組み合わせとして実装されてよい。このハードウェア及びソフトウェアの互換性を明瞭に説明するために、さまざまな図示されるコンポーネント、ブロック、モジュール、回路及びステップは大抵それらの機能性に関して記述されている。そのような機能性がハードウェアまたはソフトウェアのいずれとして実装されるかは、特定用途及び全体的なシステムに課される設計制約に依存する。当業者は、夫々の特定用途のためにさまざまなやり方で上記機能性を実装し得るが、そのような実装の決定は請求の範囲を限定するものとして解釈されるべきでない。
【００９４】
本願明細書において開示される実施形態に関連して記述されるさまざまな図示される論理ブロック、モジュール及び回路は、本願明細書において開示される機能を行うように設計された汎用のプロセッサ、デジタルシグナルプロセッサ(DSP)、特定用途向け集積回路(ASIC)、フィールドプログラマブルゲートアレイ(FPGA)またはその他のプログラム可能な論理デバイス、個別のゲートまたはトランジスタ論理、個別的なハードウェアコンポーネントまたはそれらの任意の組み合わせを使って実装され、または実行されてよい。汎用のプロセッサはマイクロプロセッサでよいが、代案では、プロセッサは任意の従来のプロセッサ、コントローラ、マイクロコントローラまたは状態機械でよい。プロセッサは、コンピュータデバイスの組み合わせ、例えば、DSP及びマイクロプロセッサの組み合わせ、複数のマイクロプロセッサ、DSPコアと連動する１またはそれ以上のマイクロプロセッサまたは任意のその他のこのような構成、として実装されてもよい。
【００９５】
本願明細書において開示される実施形態に関連して記述される方法またはアルゴリズムのステップは、ハードウェア、プロセッサによって実行されるソフトウェアモジュールまたは２者の組み合わせにおいて直接的に具体化されてよい。ソフトウェアモジュールは、技術分野において知られている任意の形式の記憶媒体に存在してよい。用いられ得る記憶媒体のいくつかの例は、RAMメモリ、フラッシュメモリ、ROMメモリ、EPROMメモリ、EEPROMメモリ、レジスタ、ハードディスク、リムーバルディスク、CD-ROMなどを含む。ソフトウェアモジュールは、単一の命令または多数の命令を包含してよいし、複数の異なるコードセグメントにわたって分配されてよいし、異なるプログラムの間で分配されてよいし、また複数の記憶媒体にわたって分配されてもよい。典型的な記憶媒体は、当該記憶媒体から情報を読み出し、当該記憶媒体に情報を書き込めるプロセッサに結合されてよい。
【００９６】
本願明細書に開示される方法は、前述した方法を実現ための１またはそれ以上のステップまたは作用を備える。方法ステップ及び／または作用は、請求の範囲を外れなければそれぞれ置き換えられてよい。換言すれば、ステップまたは作用の特定の順序が、記述される実施形態の適切な動作のために必要でない限り、特定のステップ及び／または作用の順序及び／または使い方は、請求の範囲を外れなければ変更されてよい。
【００９７】
１またはそれ以上の典型的な実施形態において、記述される機能はハードウェア、ソフトウェア、ファームウェアまたはそれらの任意の組み合わせにより実現されてよい。ソフトウェアにより実現されるのであれば、機能は、コンピュータ読み取り可能な媒体上の１またはそれ以上の命令またはコードとして保存され、または送信されてよい。コンピュータ読み取り可能な媒体は、コンピュータ記憶媒体及びある場所から別の場所へのコンピュータプログラムの移動を容易にする任意の媒体を含む通信媒体の双方を含む。記憶媒体は、コンピュータによってアクセス可能な任意の利用可能な媒体でよい。限定でなく一例として、そのようなコンピュータ読み取り可能な媒体は、RAM、ROM、EEPROM、CD-ROMまたはその他の光ディスクストレージ、磁気ディスクストレージまたはその他の磁気記憶装置、或いは、命令またはデータ構造の形式で所望のプログラムコードを運びまたは保存するために用いられ、コンピュータによってアクセスされ得るその他の任意の媒体を包含できる。同様に、任意の通信はコンピュータ読み取り可能な媒体と相応に称される。例えば、同軸ケーブル、光ファイバケーブル、ツイストペア、デジタル加入者回線(DSL)、または赤外線、無線(radio)及びマイクロ波のような無線通信技術を用いてウェブサイト、サーバまたはその他の遠隔情報源からソフトウェアが送信されるならば、同軸ケーブル、光ファイバケーブル、ツイストペア、DSL、または赤外線、無線及びマイクロ波のような無線通信技術は、媒体の定義に含まれる。ディスク(disk)及びディスク(disc)は、本願明細書において用いられるように、コンパクトディスク(disc)(CD)、レーザディスク(disc)、デジタル多用途ディスク(disc)(DVD)、フロッピー（登録商標）ディスク (disk)、ブルーレイディスク(disc)を含み、ディスク(disk)は通常データを磁気的に再生し、一方ディスク(disc)はデータをレーザを使って光学的に再生する。前述したものの組み合わせもまたコンピュータ読み取り可能な媒体の範囲内に含まれるべきである。
【００９８】
具体的な実施形態が図示され記述されているが、請求項は前述される明確な構成及びコンポーネントに限定されないと理解されるべきである。各種修正、変更及び変形は、請求の範囲から外れることなく、前述される実施形態の配置、作用及び細部においてなされてよい。
以下に、本願の出願当初の特許請求の範囲に記載された発明が付記される。
［１］集中型方式における付加サービスの調整を容易にするよう構成される移動局において、回路交換型(CS)ドメインに音声通話を置くよう構成されるCSドメインコンポーネントと、IPマルチメディアサブシステム(IMS)ドメインに音声通話を置くよう構成されるIMSドメインコンポーネントとを具備し、前記IMSドメインコンポーネントは、IMSコアネットワークとの通信を容易にするためのトランスポートコンポーネントと、少なくとも一部が前記IMSドメインにおける前記音声通話だけでなく前記CSドメインにおける前記音声通話のための付加サービスに関連する情報を前記トランスポートコンポーネントを介して前記IMSコアネットワーク上で集中型サーバと交換するよう構成されるシグナリングコンポーネントとを具備する移動局。
［２］前記移動局は、前記CSドメインに音声通話を置き、前記IMSコアネットワーク上の前記集中型サーバを介して付加サービスを呼び出し、前記音声通話が前記CSドメインにある間に前記付加サービスにアクセス及び／または前記付加サービスを更新するために前記集中型サーバと通信するよう構成される［１］記載の移動局。
［３］前記移動局は、前記集中型サーバと通信するために用いられ得るトランスポートプロトコル及びシグナリングプロトコルを選択するよう更に構成され、前記選択したトランスポートプロトコル及び前記選択したシグナリングプロトコルは前記付加サービスを呼び出し、前記付加サービスにアクセス及び／または前記付加サービスを更新するために使用される［２］記載の移動局。
［４］前記移動局は、前記CSドメインから前記IMSドメインに前記音声通話を転送し、前記音声通話が前記IMSドメインに転送されたのち、前記付加サービスにアクセス及び／または前記付加サービスを更新するために前記IMSコアネットワーク上で前記集中型サーバと通信を継続するよう更に構成される［２］記載の移動局。
［５］前記移動局は、前記IMSドメインに音声通話を置き、前記IMSコアネットワーク上で前記集中型サーバを介して付加サービスを呼び出し、前記IMSドメインから前記CSドメインに前記音声通話を転送し、前記音声通話が前記CSドメインに転送されたのち、前記付加サービスにアクセス及び／または前記付加サービスを更新するために前記IMSコアネットワーク上で前記集中型サーバと通信を継続するよう構成される［１］記載の移動局。
［６］前記トランスポートコンポーネントは、パケット交換型トランスポートプロトコルを実行し、前記集中型サーバとの通信は、前記パケット交換型トランスポートプロトコルを介して生じる［１］記載の移動局。
［７］前記トランスポートコンポーネントは、データバーストメッセージプロトコルを実行し、前記集中型サーバとの通信は、前記データバーストメッセージプロトコルを介して生じる［１］記載の移動局。
［８］前記トランスポートコンポーネントは、ショートメッセージサービスプロトコルを実行し、前記集中型サーバとの通信は、前記ショートメッセージサービスプロトコルを介して生じる［１］記載の移動局。
［９］前記トランスポートコンポーネントは、デュアルトーンマルチ周波数プロトコルを実行し、前記集中型サーバとの通信は、前記デュアルトーンマルチ周波数プロトコルを介して生じる［１］記載の移動局。
［１０］前記トランスポートコンポーネントは、ダイヤル番号サフィックスプロトコルを実行し、前記集中型サーバとの通信は、前記ダイヤル番号サフィックスプロトコルを介して生じる［１］記載の移動局。
［１１］前記トランスポートコンポーネントは、非構造付加サービスデータプロトコルを実行し、前記集中型サーバとの通信は、前記非構造付加サービスデータプロトコルを介して生じる［１］記載の移動局。
［１２］前記シグナリングコンポーネントは、前記集中型サーバへシグナリングメッセージを送信するよう構成され、前記シグナリングメッセージは、呼び出される付加サービスを識別するサービス識別フィールドと、前記呼び出される付加サービスに特有のデータと、前記呼び出される付加サービスに特有の更なるデータを交換するためのダイアログの継続を表示するフィールドとを具備する［１］記載の移動局。
［１３］前記移動局から前記集中型サーバに送信される情報を符号化し、前記集中型サーバから前記移動局に送信される情報を復号化するよう構成される符号化／復号化コンポーネントを更に具備する［１］記載の移動局。
［１４］IPマルチメディアサブシステム(IMS)コアネットワークの一部であって、音声通話のための付加サービスを調整するよう構成される集中型サーバにおいて、移動局がIMSドメインまたは回路交換型(CS)ドメインに接続されるときに前記移動局との通信を容易にするためのトランスポートコンポーネントと、前記移動局が前記IMSドメインまたは前記CSドメインに接続されるときに前記移動局に伴って生じる音声通話のための付加サービスに関連する情報を前記トランスポートコンポーネントを介して前記移動局と交換するよう構成されるシグナリングコンポーネントとを具備する集中型サーバ。
［１５］前記集中型サーバは、前記付加サービスについて情報を保存するよう更に構成され、前記情報は、前記IMSドメインにおける前記音声通話に対応するIMSドメイン関連情報と、前記CSドメインにおける前記音声通話に対応するCSドメイン関連情報とを包含する［１４］記載の集中型サーバ。
［１６］集中型方式における付加サービスの調整を容易にするよう構成される移動局において、CSドメインに音声通話を置くための手段と、IMSドメインに音声通話を置くための手段と、少なくとも一部が前記IMSドメインにおける前記音声通話だけでなく前記CSドメインにおける前記音声通話のための付加サービスに関連する情報をIMSコアネットワーク上で集中型サーバと交換するための手段とを具備する移動局。
［１７］前記IMSコアネットワーク上で前記集中型サーバを介して、前記CSドメインにおける音声通話に対応する付加サービスを呼び出すための手段と、前記音声通話が前記CSドメインにある間に前記付加サービスにアクセス及び／または前記付加サービスを更新するために前記集中型サーバと通信するための手段とを更に具備する［１６］記載の移動局。
［１８］前記集中型サーバとの通信に用いられ得るトランスポートプロトコル及びシグナリングプロトコルを選択するための手段を更に具備し、前記選択したトランスポートプロトコル及び前記選択したシグナリングプロトコルは、前記付加サービスを呼び出し、前記付加サービスにアクセス及び／または前記付加サービスを更新するために使用される［１７］記載の移動局。
［１９］前記音声通話を前記CSドメインから前記IMSドメインに転送するための手段と、前記音声通話が前記IMSドメインに転送されたのち、前記付加サービスにアクセス及び／または前記付加サービスを更新するために前記IMSコアネットワーク上で前記集中型サーバと通信を継続するための手段とを更に具備する［１７］記載の移動局。
［２０］前記IMSドメインに音声通話を置くための手段と、前記IMSコアネットワーク上で前記集中型サーバを介して付加サービスを呼び出すための手段と、前記IMSドメインから前記CSドメインへ前記音声通話を転送するための手段と、前記音声通話が前記CSドメインに転送されたのち、前記付加サービスにアクセス及び／または前記付加サービスを更新するために前記IMSコアネットワーク上で前記集中型サーバと通信を継続するための手段とを更に具備する［１６］記載の移動局。
［２１］移動局に音声通話をCSドメインに置かせるためのコードと、前記移動局に音声通話をIMSドメインに置かせるためのコードと、前記移動局に、少なくとも一部が前記IMSドメインにおける前記音声通話だけでなく前記CSドメインにおける前記音声通話ための付加サービスに関連する情報をIMSコアネットワーク上で集中型サーバと交換させるためのコードとを具備するコンピュータ読み取り可能媒体を包含するコンピュータプログラム製品。
［２２］前記移動局に、前記CSドメインにおける音声通話に対応する付加サービスを前記IMSコアネットワーク上で前記集中型サーバを介して呼び出させるためのコードと、前記移動局に、前記音声通話が前記CSドメインにある間に前記付加サービスにアクセス及び／または前記付加サービスを更新するために前記集中型サーバと通信させるためのコードとを更に具備する［２１］記載のコンピュータプログラム製品。
［２３］前記移動局に、前記集中型サーバと通信するために用いられ得るトランスポートプロトコル及びシグナリングプロトコルを選択させるためのコードを更に具備し、前記選択したトランスポートプロトコル及び前記選択したシグナリングプロトコルは前記付加サービスを呼び出し、前記付加サービスにアクセス及び／または前記付加サービスを更新するために使用される［２２］記載のコンピュータプログラム製品。
［２４］前記移動局に、前記音声通話を前記CSドメインから前記IMSドメインに転送させるためのコードと、前記移動局に、前記音声通話が前記IMSドメインに転送されたのち、前記付加サービスにアクセス及び／または前記付加サービスを更新するために前記IMSコアネットワーク上で前記集中型サーバと通信を継続させるためのコードとを更に具備する［２２］記載のコンピュータプログラム製品。
［２５］前記移動局に前記IMSドメインに音声通話を置かせるためのコードと、前記移動局に前記IMSコアネットワーク上で前記集中型サーバを介して付加サービスを呼び出させるためのコードと、前記移動局に前記音声通話を前記IMSドメインから前記CSドメインに転送させるためのコードと、前記移動局に、前記音声通話が前記CSドメインに転送されたのち、前記付加サービスにアクセス及び／または前記付加サービスを更新するために前記IMSコアネットワーク上で前記集中型サーバと通信を継続させるためのコードとを更に具備する［２１］記載のコンピュータプログラム製品。
［２６］IPマルチメディアサブシステム(IMS)コアネットワークにおける集中型サーバに、移動局がIMSドメインまたは回路交換型(CS)ドメインに接続されるときに前記移動局との通信を容易にさせるためのコードと、前記集中型サーバに、前記移動局が前記IMSドメインまたは前記CSドメインに接続されるときに前記移動局に伴って生じる音声通話のための付加サービスに関連する情報を前記移動局と交換させるためのコードとを具備するコンピュータ読み取り可能な媒体を包含するコンピュータプログラム製品。
【図１】
0005619846.tif 000002
【図２】
0005619846.tif 000003
【図３】
0005619846.tif 000004
【図４】
0005619846.tif 000005
【図４Ａ】
0005619846.tif 000006
【図５】
0005619846.tif 000007
【図５Ａ】
0005619846.tif 000008
【図６】
0005619846.tif 000009
【図６Ａ】
0005619846.tif 000010
【図７】
0005619846.tif 000011
【図８】
0005619846.tif 000012
【図９】
0005619846.tif 000013